(57)【要約】【課題】出湯スイッチを押し続けなくても出湯シーケンスに従って自動で出湯してコーヒー抽出器にてコーヒーを入れる機能を備え、さらに、蒸らし工程中に使用者が任意に蒸らし用のお湯を追加で注ぐことができるように手動出湯を可能とする機能を付加する。【解決手段】自動出湯制御手段６は抽出開始スイッチ７がオンされると、カップ数選択手段８によるカップ数に応じた量の蒸らし用のお湯を出湯するファーストドリップ工程と、蒸らしを行う蒸らし工程と、本抽出を行うセカンドドリップ工程にて構成されたコーヒー抽出のための出湯シーケンスを動作させる構成において、蒸らし工程中に出湯スイッチ４を操作可能とし、出湯スイッチ４を操作した時間だけ蒸らし時間を延長させるように制御する。【選択図】図１
2013255621.tif 000002
【特許請求の範囲】
【請求項１】
湯を沸かして保温する湯沸かし容器と、前記湯沸かし容器内の湯を出湯口から出湯させる出湯手段と、前記出湯手段を手動で動作させる出湯スイッチと、前記出湯口の直下に設置したコーヒー抽出器に自動で湯を注ぐために前記出湯手段を制御する自動出湯制御手段と、
コーヒーの抽出専用の出湯シーケンスを開始させる抽出開始スイッチと、自動で抽出するコーヒーカップ数を選択するカップ数選択手段とを備え、前記自動出湯制御手段は前記抽出開始スイッチがオンされると、前記カップ数選択手段によるカップ数に応じた量の蒸らし用のお湯を出湯するファーストドリップ工程と、蒸らしを行う蒸らし工程と、本抽出を行うセカンドドリップ工程にて構成されたコーヒー抽出のための出湯シーケンスを動作させる構成において、前記蒸らし工程中に前記ファーストドリップ工程時の不均一な注湯を解消させるために前記出湯スイッチを操作可能とし、前記出湯スイッチを操作した時間だけ前記蒸らし時間を延長させるように制御する電気湯沸かし器。
【発明の詳細な説明】
【技術分野】
【０００１】
本発明は、湯沸かし容器内の湯を使用してペーパーフィルター用のコーヒー抽出器に自動で出湯することができるコーヒー抽出器用自動出湯機能付き電気湯沸かし器に関する。
【背景技術】
【０００２】
近年、ペーパーフィルターを使用したドリップ式のレギュラーコーヒー抽出器にお湯を注ぎ易いように考慮されたコーヒー抽出機能付きの電気湯沸かし器が提案されている。この種の電気湯沸かし器によれば、出湯スイッチを押している間の出湯流量を通常より少なくしてコーヒー粉が飛び散りにくいようにしたものや、自動で一定量出湯するため湯の入れ過ぎを防止するというものであった（例えば、特許文献１参照）。
【先行技術文献】
【特許文献】
【０００３】
【特許文献１】特開平２−１１１３２７号公報
【発明の概要】
【発明が解決しようとする課題】
【０００４】
しかしながら、前記従来の構成では、コーヒーメーカーのようにコーヒー抽出専用の機器ではないため、予め決められた出湯シーケンスに従って出湯時間だけを制御するだけのため、蒸らし用の湯をコーヒー粉全体に均一に注ぐように制御する訳では無く、湯が粉に均一に注がれなかった場合にはコーヒーの濃度、味が毎回変動してしまうという課題を有していた。
【０００５】
本発明は、前記従来の課題を解決するもので、出湯シーケンスに従って自動で出湯してコーヒー抽出器にてコーヒーを入れる機能を備え、さらに、蒸らし工程中に使用者が任意に蒸らし用のお湯を追加で注ぐことができるように手動出湯を可能とする機能を付加したコーヒー抽出機能付の電気湯沸かし器を提供することを目的とする。
【課題を解決するための手段】
【０００６】
前記従来の課題を解決するために、本発明の電気湯沸かし器は、湯を沸かして保温する湯沸かし容器と、前記湯沸かし容器内の湯を出湯口から出湯させる出湯手段と、前記出湯手段を手動で動作させる出湯スイッチと、前記出湯口の直下に設置したコーヒー抽出器に自動で湯を注ぐために前記出湯手段を制御する自動出湯制御手段と、コーヒーの抽出専用の出湯シーケンスを開始させる抽出開始スイッチと、自動で抽出するコーヒーカップ数を選択するカップ数選択手段とを備え、前記自動出湯制御手段は前記抽出開始スイッチがオンされると、前記カップ数選択手段によるカップ数に応じた量の蒸らし用のお湯を出湯するファーストドリップ工程と、蒸らしを行う蒸らし工程と、本抽出を行うセカンドドリップ工程にて構成されたコーヒー抽出のための出湯シーケンスを動作させる構成において、前記蒸らし工程中に前記ファーストドリップ工程時の不均一な注湯を解消させるために前記出湯スイッチを操作可能とし、前記出湯スイッチを操作した時間だけ前記蒸らし時間を延長させるように制御するようにしたものである。
【０００７】
これによって、出湯スイッチを押し続けなくても選択したカップ数の量だけコーヒーが全て抽出し終わるまで自動的に出湯することができる。さらに、自動制御による出湯中においても蒸らし用の湯を手動で任意に追加でき、手動で追加した出湯時間だけ蒸らし時間を自動で延長する電気湯沸かし器を提供することができる。
【発明の効果】
【０００８】
本発明の電気湯沸かし器は、選択したカップ数の量のコーヒーが全て抽出し終わるまで出湯シーケンスに従って自動で出湯することができる。さらに、蒸らし用の湯の注ぎ方が粉に均一でなかった場合は、蒸らし工程中に任意に手動で追加出湯でき、手動で追加した出湯時間だけ蒸らし時間を延長するため毎回のコーヒーの濃度、味の変動が少ない使い勝手の良いコーヒー抽出機能付の電気湯沸かし器を提供することができる。
【図面の簡単な説明】
【０００９】
【図１】本発明の実施の形態における電気湯沸かし器の構成図
【発明を実施するための形態】
【００１０】
本発明の電気湯沸し器は、湯を沸かして保温する湯沸かし容器と、前記湯沸かし容器内の湯を出湯口から出湯させる出湯手段と、前記出湯手段を手動で動作させる出湯スイッチと、前記出湯口の直下に設置したコーヒー抽出器に自動で湯を注ぐために前記出湯手段を制御する自動出湯制御手段と、コーヒーの抽出専用の出湯シーケンスを開始させる抽出開始スイッチと、自動で抽出するコーヒーカップ数を選択するカップ数選択手段とを備え、前記自動出湯制御手段は前記抽出開始スイッチがオンされると、前記カップ数選択手段によるカップ数に応じた量の蒸らし用のお湯を出湯するファーストドリップ工程と、蒸らしを行う蒸らし工程と、本抽出を行うセカンドドリップ工程にて構成されたコーヒー抽出のための出湯シーケンスを動作させる構成において、前記蒸らし工程中に前記ファーストドリップ工程時の不均一な注湯を解消させるために前記出湯スイッチを操作可能とし、前記出湯スイッチを操作した時間だけ前記蒸らし時間を延長させるように制御するものである。
【００１１】
これによって、出湯スイッチを押し続けなくてもコーヒーが全て抽出し終わるまで出湯シーケンスに従って自動で出湯することができる。さらに、蒸らし用の湯の注ぎ方が粉に均一でなかった場合は、蒸らし工程中に任意に手動で追加出湯できる機能を付加しているため毎回のコーヒーの濃度、味の変動が少ないコーヒーを抽出することができる。
【００１２】
以下、本発明の実施の形態について図面を参照しながら説明する。なお、この実施の形態によって本発明が限定されるものではない。
【００１３】
（実施の形態１）
図１は、本発明の実施の形態における電気湯沸かし器の構成図を示すものである。
【００１４】
図１において、湯沸かし容器１は湯を沸かして保温する容器である。出湯口２は湯を外部に注ぐための注ぎ口である。出湯手段３は出湯モータ３ａと出湯ポンプ３ｂから構成されている。
【００１５】
出湯スイッチ４は、手動で出湯手段３を動作させるためのスイッチである。自動出湯制御手段６は、出湯手段３を駆動してコーヒー抽出器５に自動で湯を注ぐための動作のシーケンスを記憶したマイクロコンピュータからなる制御手段である。
【００１６】
抽出開始スイッチ７は、電気湯沸かし器の操作部に設置されたコーヒー抽出用の出湯を開始するスイッチである。カップ数選択手段８は、同様に操作部に設置された１カップから５カップのいずれかを選択するスイッチである。
【００１７】
以上のように構成された電気湯沸かし器について、以下その動作、作用を説明する。
【００１８】
まず、使用者はカップ数選択手段８で抽出するカップ数を１カップ〜５カップの中から
選択する。そして、抽出開始スイッチ７をオンすると自動出湯制御手段６は予め記憶されているシーケンスに従い出湯を開始する。シーケンスは表１に示す。
【００１９】
【表１】
2013255621.tif 000003
【００２０】
表１に示すように、蒸らしのための湯を出湯するファーストドリップ工程、蒸らし工程およびコーヒーを規定量抽出するために出湯するセカンドドリップ工程で構成されており、各工程における出湯モータ３ａの駆動時間および間欠オンオフデューティの時間と、出湯モータ３ａを停止して蒸らしを行う蒸らし工程の時間はカップ数に応じて予め自動出湯制御手段６に記憶されている。例えば、カップ数選択手段８の選択が２カップのときは表１のシーケンス番号２が選択される。
【００２１】
まず、ファーストドリップ工程は出湯モータ３ａを４秒間オンする。本実施の形態では出湯モータ３ａを１秒間駆動すると約２０ｍｌの湯が出湯されるように構成しているため、４秒間の出湯時間で約８０ｍｌが出湯される。次に、蒸らし工程は出湯モータ３ａを３５秒間オフする。
【００２２】
次に、蒸らしが終わればセカンドドリップ工程に移り、２秒オン５秒オフの間欠デューティー周期でオン時間の合計が１２秒になるまで出湯モータ３ａを駆動して出湯を行いコーヒーの抽出を行う。
【００２３】
ここで、蒸らし工程に入った時にファーストドリップ工程で出湯された湯がコーヒー抽出器５の粉に均一に散湯されていない場合など蒸らし用の湯量を増やしたい場合は、蒸らし工程中に出湯スイッチ４を操作して湯を追加で出すことができる。
【００２４】
その場合は蒸らし工程の時間は出湯スイッチ４を操作した時間だけ延長して当初の蒸らし時間を確保するように制御している。
【００２５】
例えば、出湯スイッチ４を押して２秒間追加出湯した場合は蒸らし工程の時間は３７秒になる。その後、セカンドドリップ工程が終了するとブザーによって出湯が終了したことを報知するようにしている。
【００２６】
以上のように、本実施の形態においては、自動出湯制御手段６は所定のコーヒー抽出用のシーケンスに基づいて出湯手段３の出湯時間、出湯タイミングを自動制御するようにしたことにより、出湯スイッチを押し続けなくてもコーヒーが全て抽出し終わるまで自動で出湯することができる。さらに、蒸らし工程において出湯スイッチ４を操作して追加出湯することができるためファーストドリップ工程での不均一な散湯を解消でき、追加出湯した時間だけ蒸らし時間を延長するように制御しているため毎回安定したおいしいコーヒーを手軽に入れることができる。
【産業上の利用可能性】
【００２７】
以上のように、本発明にかかる電気湯沸かし器は、自動でコーヒー抽出に適した出湯を行うことができるため、飲料用の加熱抽出器等の用途にも適用できる。
【符号の説明】
【００２８】
１    湯沸かし容器
２    出湯口
３    出湯手段
３ａ  出湯モータ
３ｂ  出湯ポンプ
４    出湯スイッチ
５    コーヒー抽出器
６    自動出湯制御手段
７    抽出開始スイッチ
８    カップ数選択手段
【図１】
2013255621.tif 000004